(57)【要約】【課題】  本発明は、船艇へのケーブルの取付け作業が容易となるケーブル支持構造を提供することを課題とする。【解決手段】  ケーブル３２は、ケーブルインナー７１とこのケーブルインナー７１を囲うケーブルアウター７２とこのケーブルアウター７２に設けた段部７３とから構成し、ケーブル支持構造３０は、船艇に取付けると共にケーブルアウター７２を収納するＵ字溝７６とを備えるブラケット４７と、ケーブルの段部７３に嵌合するＵ字形の溝８５を備えると共にブラケット４７に取付けることでケーブルアウター７２を挟持するホルダー４８とからなり、ブラケット４７に備えるＵ字溝７６は、水平若しくは奥に向かって下に傾斜させたことを特徴とする。【選択図】      図６
2006347497.tif 000002
【特許請求の範囲】
【請求項１】
操作手で操作するケーブルの途中を船艇に設けたケーブル支持構造で支持し、前記ケーブルの先端を船艇に備える機器に連結し、この機器を前記操作手で操作するようにした小型船艇において、
前記ケーブルは、ケーブルインナーとこのケーブルインナーを囲うケーブルアウターとこのケーブルアウターに設けた段部とから構成し、
前記ケーブル支持構造は、前記船艇に取付けると共に前記ケーブルアウターを収納するＵ字溝とを備えるブラケットと、前記ケーブルの段部に嵌合するＵ字形の溝を備えると共に前記ブラケットに取付けることでケーブルアウターを挟持するホルダーとからなり、前記ブラケットに備えるＵ字溝は、水平若しくは奥に向かって下に傾斜させたことを特徴とする小型船艇のケーブル支持構造。
【請求項２】
操作手で回動するアームの一端に、ケーブルの一端を連結し、ケーブルの途中をケーブル支持構造で支持し、前記ケーブルの先端を船艇に備える機器に連結し、この機器を操作手で操作するようにした小型船艇において、
前記ケーブル支持構造は、前記船艇に取付けると共に前記ケーブルのケーブルアウターを収納するブラケットを備え、このブラケットは、艇体に予め設けた非円形の穴に挿入すると共に所定角度回転させることで固定することができる突起を備えることを特徴とする小型船艇のケーブル支持構造。
【発明の詳細な説明】
【技術分野】
【０００１】
本発明は、船艇において、操作手と機器とを繋ぐケーブルの途中を支持するケーブル支持構造の改良に関する。
【背景技術】
【０００２】
船艇において、操作手と機器とを繋ぐケーブルを所定の位置に保持するため、ケーブル支持構造が必要とされる（例えば、特許文献１参照。）。
【特許文献１】特開２００４−９８９４６公報（図１２）
【０００３】
特許文献１の図１２において、駆動ケーブルの支持構造１２０は、ブラケット１２１と、このブラケット１２１にアウタパイプ１１６を取付けるＵ字部１２５とを備え、先ず、デッキ２０の裏側にブラケット１２１のデッキ側取付け面１２８を当て、この取付け面１２８をずらしながら取付け穴を探し、デッキ２０側の穴にブラケット１２１側の穴位置を合わせ、これらの穴位置を合わせたまま、ボルト１２７、１２７を差込み、ブラケット１２１に締付け、ブラケット１２１を艇体側に取付ける。
【０００４】
特許文献１のブラケット１２１を、一人でデッキ２０に取付ける場合には、片方の手でブラケット１２１を支えながら、他方の手でボルト１２７、１２７を締付ける必要がある。ブラケット１２１が重いときには、重量物を片手である程度の時間支え続けることとなり、作業者の負担も大きい。
【０００５】
次に、ブラケット１２１のＵ字部１２５に駆動ケーブル１１４を掛け、駆動ケーブル１１４を掛けた状態のまま、ナット１２４を回して、アウタパイプ１１６をブラケット１２１に固定する。
【０００６】
すなわち、特許文献１の駆動ケーブル１１４を片手で抑え、他方の手でナット１２４を回す必要あり、両手作業が基本となる。
【０００７】
特許文献１の駆動ケーブルの支持構造１２０は、ブラケット１２１や駆動ケーブル１１４を抑えながら、ナット１２４やボルト１２７を締め付けることとなる。しかし、小型船艇のデッキ内部は狭く、ブラケット１２１や駆動ケーブル１１４を抑えながらの作業が困難な場合もある。そこで、容易に取付け可能なケーブル支持構造が望まれる。
【発明の開示】
【発明が解決しようとする課題】
【０００８】
本発明は、片手で取付けが可能な船艇へのケーブル支持構造を提供することを課題とする。
【課題を解決するための手段】
【０００９】
請求項１に係る発明では、操作手で操作するケーブルの途中を船艇に設けた支持構造で支持し、ケーブルの先端を船艇に備える機器に連結し、この機器を操作手で操作するようにした小型船艇において、ケーブルは、ケーブルインナーとこのケーブルインナーを囲うケーブルアウターとこのケーブルアウターに設けた段部とから構成し、ケーブル支持構造は、船艇に取付けると共にケーブルアウターを収納するＵ字溝とを備えるブラケットと、ケーブルの段部に嵌合するＵ字形の溝を備えると共にブラケットに取付けることでケーブルアウターを挟持するホルダーとからなり、ブラケットに備えるＵ字溝は、水平若しくは奥に向かって下に傾斜させたことを特徴とする。
【００１０】
請求項２に係る発明では、操作手で回動するアームの一端に、ケーブルの一端を連結し、ケーブルの途中をケーブル支持構造で支持し、ケーブルの先端を船艇に備える機器に連結し、この機器を操作手で操作するようにした小型船艇において、ケーブル支持構造は、船艇に取付けると共にケーブルのケーブルアウターを収納するブラケットを備え、このブラケットは、艇体に予め設けた非円形の穴に挿入すると共に所定角度回転させることで固定することができる突起を備えることを特徴とする。
【発明の効果】
【００１１】
請求項１に係る発明では、ブラケットに備えるＵ字溝を水平若しくは奥に向かって下に傾斜させた。このようなＵ字溝にケーブルアウターを収納すると、このケーブルアウターはＵ字溝の奥に留まり、外れる心配はない。したがって、ケーブルアウターをブラケットに預けた状態で、次のボルト締めなどの作業を実施することができる。
すなわち、請求項１によれば、ブラケットにケーブルアウターを取付ける作業は、片手作業が可能となる。片手作業であれば、小型船艇の狭いデッキ内空間であっても容易にケーブルの取付け作業を実施することができる。
【００１２】
請求項２に係る発明では、艇体側の非円形の穴に、ブラケット側の突起を挿入して回すだけで、ブラケットを艇体側に仮止めすることができ、手を外すことができる。この仮止めの後に、ボルトを締付けることで、ブラケットを艇体に固定する。
すなわち、請求項２によれば、艇体側にブラケットを取付ける作業は、仮止め後にブラケットを手で支える必要がないので、作業者の負担を大いに軽減することができる。
【発明を実施するための最良の形態】
【００１３】
本発明を実施するための最良の形態を添付図に基づいて以下に説明する。なお、図面は符号の向きに見るものとする。
図１は本発明に係る船艇の側面図であり、船艇１０（ジェット推進艇１０とも云う。）は、船底１１ａ（艇底１１ａとも云う。）を形成するハル１１及びこのハル１１の上方を覆うデッキ１２からなる艇体１３を備え、この艇体１３内に燃料タンク１４を設け、この燃料タンク１４の後方にエンジン１５を配置し、このエンジン１５の上方に鞍乗型シート１７を配置し、エンジン１５の後方にジェットポンプ２０を設け、燃料タンク１４の上方に操作手２８を取り付けたものである。
【００１４】
ジェットポンプ２０は、ハル１１を構成する艇底１１ａの開口１１ｂから後方へ延ばしたポンプハウジング２１を備え、このポンプハウジング２１内にインペラ１９を回転自在に取り付け、インペラ１９をエンジン１５の駆動軸２３に連結する装置である。
エンジン１５を駆動してジェットポンプ２０に備えるインペラ１９を回転させ、艇底１１ａの開口１１ｂから吸引した水をポンプハウジング２１を介してステアリングノズル２５から噴射する。なお２２は、ジェットポンプ２０を備えるジェットポンプ室である。
【００１５】
ステアリングノズル２５は、ポンプハウジング２１の後端に左右にスイング自在に取付けたノズルである。このステアリングノズル２５は、操作手２８の操作で左右にスイングさせることにより、艇体１３の操舵方向をコントロールする操舵用の機器２６である。
この機器２６は、操作ハンドルなどの操作手２８及びケーブル３２を用いて操作することができる。
【００１６】
すなわち、ジェット推進艇１０は、燃料タンク１４からエンジン１５に燃料を供給してエンジン１５を駆動し、エンジン１５の駆動力を駆動軸２３を介してジェットポンプ２０に伝達し、このジェットポンプ２０を駆動することにより艇底１１ａの開口１１ｂから水を吸引し、吸引した水をポンプハウジング２１の後端を通じて操作手２８により操舵方向に向けたステアリングノズル２５から噴射水を噴射させて水上を走行する船艇である。
【００１７】
図において、エンジン１５に備える吸気系として、３４は吸気ダクト、３５はエアクリーナ、３６は吸入通路である。また、エンジン１５に備える排気系として、３７は排気管、３８はウオータマフラー、３９は開閉弁である。
【００１８】
図２は本発明に係る船艇の要部側面図であり、操舵機構４０は、ステアリングコラム４１にステアリング軸４２を回転可能に取付け、このステアリング軸４２の下端にレバー形状のアーム４４を取付け、このアーム４４に連結部材としてのケーブル３２の一端３２ａを連結するとともに、このケーブル３２の途中３２ｃをケーブル支持構造３０で支持したことを示す。ケーブル支持構造３０の詳細は後述する。
【００１９】
５１はデッキ１２に開けた作業開口である。この作業開口５１は、ケーブル支持構造３０の前方でステアリング軸４２の周りに配置するものであり、例えば、ケーブル支持構造３０へのケーブル３２の着脱を行うための開口であり、通常（非作業時）は、図示せぬリッド部材で塞ぐ。
【００２０】
図３は本発明に係る小型船艇のケーブル支持構造の斜視図であり、操舵機構４０の下端にアーム４４を備え、このアーム４４にケーブル３２の一端３２ａを連結部材５３を介して連結し、ケーブル３２の途中３２ｃをデッキ１２の下面４５（図２参照）に取付けたケーブル支持構造３０で支持する。
【００２１】
なお、本実施例において、ケーブル支持構造３０は、ステアリング軸４２とステアリングノズル２５（図１参照）の間を連結するケーブル３２の途中３２ｃを支持するものであるが、この他、例えば、アクセルケーブル、リバース用ケーブルなど小型船艇に備えるその他のケーブルの途中を支持するものであっても良い。
【００２２】
図４は図３の４矢視図であり、デッキ１２に非円形の穴５６を設け、この非円形の穴５６にブラケット４７側に備える円柱部５７を挿入し、この円柱部５７を角度θ（例えば９０°）回すことで、突起５８、５８をデッキ１２の上面に被せた状態を示す。
【００２３】
図５は図４の５−５線断面図であり、ブラケット４７に備える円柱部５７を非円形の穴５６に挿入し、回動させ、ブラケット４７に備える座部６２と突起５８、５８の間に形成した溝部６３で艇体１３（図２参照）のデッキ１２を挟持するように、且つ艇体１３に設けた穴６４、６４にブラケット４７側に設けた締付け穴６５、６５が合うようにしたことを示す。
すなわち、ブラケット４７は、艇体１３に予め設けた非円形の穴５６に挿入すると共に所定角度回転させることで固定することができる突起５８、５８を備える。
【００２４】
本実施例において、ブラケット４７は、締付け穴６５、６５を備える。これらの締付け穴６５、６５は、ブラケット４７を形成する際に、ナット６７、６７をブラケット４７と一体成形することにより設けた穴である。この他、ナットとブラケットとを一体化させず、ナットを別に取付けるボルト及びナットによる締付け構造としても良い。
【００２５】
図６は本発明に係る小型船艇のケーブル支持構造の分解斜視図であり、ケーブル３２は、ケーブルインナー７１と、このケーブルインナー７１を囲うケーブルアウター７２と、このケーブルアウター７２に設ける段部７３と、からなる。
【００２６】
ケーブル支持構造３０は、デッキ１２の下方から取付けるブラケット４７と、このブラケット４７に側方から取付ける断面コ字状のホルダー４８とからなる。
【００２７】
ブラケット４７は、デッキ１２に固定あるいは仮止めする突起５８、５８を備え、この突起５８、５８の下方にデッキの下面に当てる座部６２を備え、この座部６２にめねじとなるねじ穴６５、６５を設けると共に、座部６２から下方に本体部７５を取付け、この本体部７５に水平若しくは奥に向かって下に傾斜させてケーブルアウター７２を収納するＵ字溝７６を形成し、本体部７５の側面７７にホルダー４８を締付けるホルダー締付け穴７４、７４を形成してなる。
【００２８】
ホルダー４８は、左右の側部８２Ｌ、８２Ｒと、これらの側部８２Ｌ、８２Ｒを接続する接続部８３とからなるコ字状の部材であり、左右の側部８２Ｌ、８２Ｒにケーブルの段部７３に嵌合するＵ字形の溝８５を備える。
左側部８２Ｌには、ホルダー４８をブラケット４７に取付ける締付けボルト８１、８１用のボルト穴８６、８６を設ける。
【００２９】
すなわち、ケーブル支持構造３０は、ケーブルの段部７３に嵌合するＵ字形の溝８５を備えると共にブラケット４７に取付けることでケーブルアウター７２を挟持するホルダー４８とからなり、ブラケット４７に備えるＵ字溝７６は、水平若しくは奥に向かって下に傾斜させた構造体である。
【００３０】
以上の構成からなるケーブル支持構造の作用を以下に説明する。
図７は作業者の動作を説明する図であり、作業者Ｍは、デッキ１２に開けた作業開口５１から右手８４を挿入することで、次に説明するケーブル支持構造の取付け作業を行うことができる。
【００３１】
図８は本発明のブラケットの取付け要領図である。
（ａ）において、右手８４で握ったブラケット４７を矢印８５のごとく上昇させる。そして、非円形の穴５６の切欠部５６ａ、５６ａに、ブラケット４７側の突起５８、５８を通過させる。これで、デッキ１２の下面にブラケット４７の座部６２を当てることができる。
（ｂ）において、ブラケット４７を矢印８６のごとく角度θだけ回動し、突起５８、５８を非円形の穴５６の周囲８７に掛けると共に、デッキ１２側の穴６４、６４に座部６２に備えるねじ穴６５、６５を合わせる。
突起５８、５８が非円形の穴５６の周囲８７に載っているため、右手８４を外してもブラケット４７が落下する心配はない。そこで、右手４８をブラケット４７から外して自由にする。
【００３２】
（ｃ）において、自由になった右手８４でボルト６１を摘み、デッキ１２の上方に臨ませる。そして、ボルト６１を穴６４に落とし、軽く回すことで仮締めする。残りのボルト６１も同様に仮締めする。次に、図示せぬスパナーなどの工具でボルト６１、６１を本締めする。
これで、デッキ１２にブラケット４７を取付ける作業は終了する。
【００３３】
デッキ１２へのブラケット４７の取付け作業は、右手８４（又は左手）のみで行うことができる。加えて、図８（ｃ）ではブラケット４７を手で支える必要がないため、作業者の負担を大いに軽減することができる。
【００３４】
なお、非円形の穴５６は丸穴に２個の切欠き５６ａ、５６ａを組み合わせたが、これらの切欠き５６ａ、５６ａの数や形状は、任意である。同様に、円柱部５７に付設する突起５８、５８の数や形状は任意である。
【００３５】
図９は本発明のケーブルの取付け要領図である。
（ａ）において、ブラケット４７のＵ字溝７６にケーブル３２の外側を構成するケーブルアウター７２を乗せた後、ホルダー４８を右手８４で摘み、ホルダー４８をブラケット４７の側面７７に向け矢印７９方向に差込み、Ｕ字溝７６にＵ字形の溝８５を係合する。
【００３６】
（ｂ）において、自由になった右手８４で締結ボルト８１を摘み、この締結ボルト８１をホルダー締付け穴７４に入れて軽く回すことにより仮締めを行う。
（ｃ）において、右手８４でボルト締付け工具Ｔをつかみ、このボルト締付け工具Ｔで締結ボルト８１、８１の本締めを行う。
【００３７】
これで、ケーブル３２の取付け作業を完了する。
（ａ）〜（ｃ）の一連の作業は、右手８４（又は左手）のみで実施可能である。
すなわち、ブラケット４７にケーブルアウター７２を取付ける作業は、片手作業が可能となる。片手作業であれば、小型船艇の狭いデッキ内空間であっても容易にケーブルの取付け作業を行うことができる。
【００３８】
次に本発明の別実施例を説明する。
図１０は図３のケーブル支持構造に係る別実施例図であり、ブラケット４７Ｂの突起５８、５８と、これらの突起５８、５８と係合する非円形状の穴６４の構成は、図３と同一であるため説明を省略し、ブラケット４７Ｂと、このブラケット４７Ｂに取付けるホルダー４８Ｂの構成について説明する。
【００３９】
（ａ）において、ケーブル支持構造３０Ｂは、Ｕ字溝７６Ｂを備えるブラケット４７Ｂと、ケーブルの段部７３、７３に嵌合するＵ字形の溝８５Ｂ、８５Ｂ（手前側の溝８５Ｂのみ示す。）を備えると共にブラケット４７Ｂに取付けることでケーブルアウター７２を挟持するホルダー４８Ｂと、からなる。
【００４０】
図３と異なる点は、ブラケット４７Ｂに備えるＵ字溝７６Ｂは水平に設けると共に、ホルダー４８Ｂに備えるＵ字形の溝８５Ｂ、８５Ｂ（手前側の溝８５Ｂのみ示す。）は、垂直に且つ開口部８７、８７（手前側の開口部８７のみ示す。）が下方に開口させて設けるという点である。
開口部８７、８７を下方に開口させたので、ホルダー４８Ｂの自重によりＵ字形の溝８５Ｂ、８５Ｂ（手前側の溝８５Ｂのみ示す。）がケーブルの段部７３、７３に嵌合し、ホルダー４８Ｂからケーブル３２を外れ難くすることができる。
【００４１】
（ｂ）において、ケーブルのアウター７２をブラケット４７のＵ字溝７６に差込み、Ｕ字溝７６に差込んだケーブルの段部７３、７３にＵ字形の溝８５Ｂ、８５Ｂが嵌合するように、ホルダー４８を取付けることを示す。
【００４２】
尚、本発明は、実施の形態では小型船艇に適用したが、自動二輪車や四輪車両に適用することは差し支えない。
【産業上の利用可能性】
【００４３】
本発明は、小型船艇に好適である。
【図面の簡単な説明】
【００４４】
【図１】本発明に係る船艇の側面図である。
【図２】本発明に係る船艇の要部側面図である。
【図３】本発明に係る小型船艇のケーブル支持構造の斜視図である。
【図４】図３の４矢視図である。
【図５】図４の５−５線断面図である。
【図６】本発明に係る小型船艇のケーブル支持構造の分解斜視図である。
【図７】作業者の動作を説明する図である。
【図８】本発明のブラケットの取付け要領図である。
【図９】本発明のケーブルアウターの取付け要領図である。
【図１０】図３のケーブル支持構造に係る別実施例図及び取付け作用図である。
【符号の説明】
【００４５】
１０…船艇、２６…機器、２８…操作手、３０…ケーブル支持構造、３１…アーム、３３１ａ…アームの一端、３２…ケーブル、３２ａ…ケーブルの一端、３２ｃ…ケーブルの途中、４７、４７Ｂ…ブラケット、４８、４８Ｂ…ホルダー、５６…非円形の穴、５８…突起、７１…ケーブルインナー、７２…ケーブルアウター、７３…段部、７６…Ｕ字溝、８５…Ｕ字形の溝。
【図１】
2006347497.tif 000003
【図２】
2006347497.tif 000004
【図３】
2006347497.tif 000005
【図４】
2006347497.tif 000006
【図５】
2006347497.tif 000007
【図６】
2006347497.tif 000008
【図７】
2006347497.tif 000009
【図８】
2006347497.tif 000010
【図９】
2006347497.tif 000011
【図１０】
2006347497.tif 000012
【手続補正書】
【提出日】平成18年4月25日(2006.4.25)
【手続補正１】
【補正対象書類名】明細書
【補正対象項目名】００３１
【補正方法】変更
【補正の内容】
【００３１】
図８は本発明のブラケットの取付け要領図である。
（ａ）において、右手８４で握ったブラケット４７を矢印８５のごとく上昇させる。そして、非円形の穴５６の切欠部５６ａ、５６ａに、ブラケット４７側の突起５８、５８を通過させる。これで、デッキ１２の下面にブラケット４７の座部６２を当てることができる。
（ｂ）において、ブラケット４７を矢印８６のごとく角度θだけ回動し、突起５８、５８を非円形の穴５６の周囲８７に掛けると共に、デッキ１２側の穴６４、６４に座部６２に備えるねじ穴６５、６５を合わせる。
突起５８、５８が非円形の穴５６の周囲８７に載っているため、右手８４を外してもブラケット４７が落下する心配はない。そこで、右手８４をブラケット４７から外して自由にする。
【手続補正２】
【補正対象書類名】明細書
【補正対象項目名】００３８
【補正方法】変更
【補正の内容】
【００３８】
次に本発明の別実施例を説明する。
図１０は図３のケーブル支持構造に係る別実施例図であり、ブラケット４７Ｂの突起５８、５８と、これらの突起５８、５８と係合する非円形状の穴５６の構成は、図３と同一であるため説明を省略し、ブラケット４７Ｂと、このブラケット４７Ｂに取付けるホルダー４８Ｂの構成について説明する。
【手続補正３】
【補正対象書類名】明細書
【補正対象項目名】００４１
【補正方法】変更
【補正の内容】
【００４１】
（ｂ）において、ケーブルのアウター７２をブラケット４７ＢのＵ字溝７６Ｂに差込み、Ｕ字溝７６Ｂに差込んだケーブルの段部７３、７３にＵ字形の溝８５Ｂ、８５Ｂが嵌合するように、ホルダー４８Ｂを取付けることを示す。
【手続補正４】
【補正対象書類名】明細書
【補正対象項目名】００４５
【補正方法】変更
【補正の内容】
【００４５】
１０…船艇、２６…機器、２８…操作手、３０…ケーブル支持構造、３２…ケーブル、３２ａ…ケーブルの一端、３２ｃ…ケーブルの途中、４４…アーム、４７、４７Ｂ…ブラケット、４８、４８Ｂ…ホルダー、５６…非円形の穴、５８…突起、７１…ケーブルインナー、７２…ケーブルアウター、７３…段部、７６…Ｕ字溝、８５…Ｕ字形の溝。
【手続補正５】
【補正対象書類名】図面
【補正対象項目名】図１０
【補正方法】変更
【補正の内容】
【図１０】
2006347497.tif 000013